(57)【要約】【課題】ディスプレイ（出力機器）の電源が切れないようにする。【解決手段】送信側ユニット３の電源がオンにされて受信側ユニット５にリンク信号Ｓｂが伝送されると出力機器制御部５３はディスプレイ（出力機器）６Ａの電源をオンにし、送信側ユニット３の電源がオフにされて前記リンク信号Ｓｂの伝送が絶たれると出力機器制御部５３はディスプレイ６Ａの電源をオフにする。これにより、リンク信号Ｓｂが伝送されている限りディスプレイ６Ａの電源はオンの状態で維持されることとなる。【選択図】図１
2015088879.tif 000002
【特許請求の範囲】
【請求項１】
映像信号及び／又は音声信号（以下、“映像音声信号”とする）を送信側ユニットから受信側ユニットに延長ケーブルを介して伝送するように構成されたＡＶシステムにおいて、
前記送信側ユニットは、
該送信側ユニットと前記受信側ユニットとがリンクしているか否かを判別するためのリンク信号を生成するリンク信号生成部と、
ソース機器により出力される映像音声信号と前記リンク信号生成部が生成したリンク信号とを前記延長ケーブルを介して前記受信側ユニットに送信する送信部と、
を有し、
前記受信側ユニットは、
前記送信部から送信された映像音声信号を受信して出力機器に映像及び／又は音声を出力させる受信部と、
前記リンク信号を受信している場合には前記送信側ユニットと前記受信側ユニットとがリンク状態にあると判別し、前記リンク信号を受信していない場合には該送信側ユニットと該受信側ユニットとがリンク状態には無いと判別するリンク状態判別部と、
該リンク状態判別部からの信号に基づき、前記送信側ユニットと前記受信側ユニットとがリンク状態にある場合には前記出力機器の電源をオンにする制御信号を送出し、前記送信側ユニットと前記受信側ユニットとがリンク状態に無い場合には該出力機器の電源をオフにする制御信号を送出する出力機器制御部と、
を有することを特徴とするＡＶシステム。
【請求項２】
前記送信側ユニットは、ソース機器を接続して映像音声信号を入力できるように構成された複数の入力端子、該映像音声信号を出力できるように構成された少なくとも１つの出力端子、及び該入力端子と該出力端子との間に介装されて該出力端子から出力される映像音声信号を切り換えることができる信号切換部を有するＡＶスイッチャー部、を有する、
ことを特徴とする請求項１に記載のＡＶシステム。
【請求項３】
前記リンク信号はクロック信号である、
ことを特徴とする請求項１又は２に記載のＡＶシステム。
【請求項４】
前記制御信号はシリアル信号又はＬＡＮ信号である、
ことを特徴とする請求項１乃至３のいずれか１項に記載のＡＶシステム。
【発明の詳細な説明】
【技術分野】
【０００１】
本発明は、映像信号及び／又は音声信号（以下、“映像音声信号”とする）を送信側ユニットから受信側ユニットに延長ケーブルを介して伝送するように構成されたＡＶシステムに係り、詳しくは、複数のソース機器を接続可能に構成されたＡＶシステムに関する。
【背景技術】
【０００２】
従来、パソコンやＤＶＤプレーヤー等のソース機器に保存されている映像や音声を、液晶ディスプレイやプロジェクターやスピーカー等の出力機器により出力させるようにしたＡＶシステムは様々な場所で使用されており、種々の構造のものが提案されている。
【０００３】
そして、ソース機器が設置されている場所と出力機器が設置されている場所とがある程度離れている場合には、映像音声信号を該ソース機器の側から該出力機器の側に長距離伝送できるようにした信号伝送装置が使用されており、様々な構造のものが提案されている（例えば、特許文献１参照）。図２は、そのような信号伝送装置２０１の従来構成の一例を示す模式図であって、図中の符号２０３は、映像信号（例えば、Ｒ信号やＧ信号やＢ信号）や音声信号や他の信号（例えば、垂直同期信号や水平同期信号や制御信号）を送信するための送信器を示し、符号２０４は、それらの信号が伝送される延長ケーブル（ツイストペアケーブル）を示し、符号２０５は、該延長ケーブル２０４により伝送されてきた信号を受信するための受信器を示す。また、符号２０２は、映像音声信号を送信器２０３に入力するためのパソコンを示し、符号２０６は、受信した信号により動画像を再生する出力機器（映像表示装置）を示す。
【０００４】
一方、学校や病院やショッピングセンターなどにおいては、映像音声信号の伝達経路を適宜切り換え得るように構成されたＡＶスイッチャーが使用されており、種々の構成のものが提案されている（例えば、特許文献２参照）。図３は、ＡＶスイッチャーの使用状態の一例を示すブロック図であり、図中の符号３０７は、ＡＶスイッチャーを示し、符号３０２Ａ，３０２Ｂ，…は、該ＡＶスイッチャー３０７の入力端子Ａ３１，Ａ３２，…に接続されている種々のソース機器を示し、符号３０６Ａ，３０６Ｂ，…は、該ＡＶスイッチャー３０７の出力端子Ｂ３１，Ｂ３２，…に接続されている種々の出力機器を示している。
【０００５】
また一方、上述の信号伝送装置とＡＶスイッチャーとを組み合わせて使用する必要がある場合も考えられ、本発明者らも種々の提案を行っている（例えば、特許文献３参照。）図４は、信号伝送装置とＡＶスイッチャーを組み合わせた例を示すブロック図である。図中の符号４０３Ａ，４０３Ｂ，…は、信号伝送装置４０１の送信器を示し、符号４０５Ａ，４０５Ｂ，…は、信号伝送装置４０１の受信器を示し、符号４０６Ａ，４０６Ｂ，…は、各受信器４０５Ａ，４０５Ｂ，…に接続された出力機器（映像表示装置）を示している。また、符号４０４は、前記送信器４０３Ａ，４０３Ｂ，…と前記受信器４０５Ａ，４０５Ｂ，…とを接続する延長ケーブルを示し、符号４０７は、該送信器４０３Ａ，４０３Ｂ，…と該受信器４０５Ａ，４０５Ｂ，…との間に介装されたＡＶスイッチャーを示している。さらに、符号４０７ａは、該ＡＶスイッチャー４０７の入力端子と出力端子との間に介装されて該出力端子から出力される映像音声信号を切り換えることができる信号切換部を示している。なお、図示のシステムではＡＶスイッチャー４０７は送信器４０３Ａ，４０３Ｂ，…の出力側（つまり、送信器４０３Ａ，４０３Ｂ，…と受信器４０５Ａ，４０５Ｂ，…との間）に介装されているが、送信器４０３Ａ，４０３Ｂ，…の入力側（つまり、送信器４０３Ａ，４０３Ｂ，…とソース機器（不図示）との間）に介装されたものもあり得る。
【先行技術文献】
【特許文献】
【０００６】
【特許文献１】特開２０１１−２３９９４号公報
【特許文献２】特開２０１３−９０７０号公報
【特許文献３】特開２０１０−１６６１２０号公報
【発明の概要】
【発明が解決しようとする課題】
【０００７】
ところで、上述の出力機器４０６Ａ，４０６Ｂ，…の電源のオン／オフを各電源スイッチ（つまり、各出力機器４０６Ａ，４０６Ｂ，…に設けられている電源スイッチ）の操作によってしか行えない場合には種々の問題があった。
【０００８】
例えば、機器を操作できる人（オペレータ）が前記送信器４０３Ａ，４０３Ｂ，…の側にだけ居て前記出力機器４０６Ａ，４０６Ｂ，…の側に居ないような場合には、出力機器４０６Ａ，４０６Ｂ，…の電源をオンにしたりオフにしたりするために該出力機器４０６Ａ，４０６Ｂ，…にまで足を運ばなければならず、その分の時間と労力が必要であった。特に、複数の出力機器が離れた位置に分散して配置されているような場合（例えば、ショッピングセンターやレジャー施設などの場合）には、分散配置されている出力機器の電源を一つ一つオン又はオフして行かなければならず、その作業が煩雑であった。
【０００９】
これに対して、前記信号伝送装置を学校の教室で使用する場合や会社等の会議室で使用する場合などのように、機器を操作できる人（オペレータ）が出力機器の近くに居るような場合には、その電源スイッチを簡単にオン／オフできるので上述のような問題は無い。しかしながら、出力機器の中にはプロジェクターのように起動時間（つまり、電源スイッチをオンにしてから映像表示が可能になるまでに必要な時間）が長いものがあり、映像を表示させたい際に出力機器の起動が完了していないと、該起動が完了するまでの間だけ待たなければならないという問題があった。
【００１０】
本発明は、上述の問題を解消することのできるＡＶシステムを提供することを目的とするものである。
【課題を解決するための手段】
【００１１】
請求項１に係る発明は、図１に例示するものであって、映像信号及び／又は音声信号（符号Ｓａ参照。以下、“映像音声信号”とする）を送信側ユニット（３）から受信側ユニット（５）に延長ケーブル（４）を介して伝送するように構成されたＡＶシステム（１）において、
前記送信側ユニット（３）は、
該送信側ユニット（３）と前記受信側ユニット（５）とがリンクしているか否かを判別するためのリンク信号（Ｓｂ）を生成するリンク信号生成部（３２）と、
ソース機器（２Ａ，２Ｂ）により出力される映像音声信号（Ｓａ）と前記リンク信号生成部（３２）が生成したリンク信号（Ｓｂ）とを前記延長ケーブル（４）を介して前記受信側ユニット（５）に送信する送信部（３３）と、
を有し、
前記受信側ユニット（５）は、
前記送信部（３３）から送信された映像音声信号（Ｓａ）を受信して出力機器（６Ａ）に映像及び／又は音声を出力させる受信部（５１）と、
前記リンク信号（Ｓｂ）を受信している場合には前記送信側ユニット（３）と前記受信側ユニット（５）とがリンク状態にあると判別し、前記リンク信号（Ｓｂ）を受信していない場合には該送信側ユニット（３）と該受信側ユニット（５）とがリンク状態には無いと判別するリンク状態判別部（５２）と、
該リンク状態判別部（５２）からの信号に基づき、前記送信側ユニット（３）と前記受信側ユニット（５）とがリンク状態にある場合には前記出力機器（６Ａ）の電源をオンにする制御信号（Ｓｃ）を送出し、前記送信側ユニット（３）と前記受信側ユニット（５）とがリンク状態に無い場合には該出力機器（６Ａ）の電源をオフにする制御信号（Ｓｃ）を送出する出力機器制御部（５３）と、
を有することを特徴とする。
【００１２】
請求項２に係る発明は、請求項１に係る発明において、前記送信側ユニット（３）が、ソース機器（２Ａ，２Ｂ）を接続して映像音声信号（Ｓａ）を入力できるように構成された複数の入力端子（３１１，…）、該映像音声信号（Ｓａ）を出力できるように構成された少なくとも１つの出力端子（３１３）、及び該入力端子（３１１，…）と該出力端子（３１３）との間に介装されて該出力端子（３１３）から出力される映像音声信号（Ｓａ）を切り換えることができる信号切換部（３１２）を有するＡＶスイッチャー部（３１）、を有することを特徴とする。
【００１３】
請求項３に係る発明は、請求項１又は２に係る発明において、前記リンク信号（Ｓｂ）がクロック信号であることを特徴とする。
【００１４】
請求項４に係る発明は、請求項１乃至３のいずれか１項に記載の発明において、前記制御信号（Ｓｃ）がシリアル信号又はＬＡＮ信号であることを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１に係る発明によれば、機器を操作できる人が前記送信側ユニットの側にだけ居て前記出力機器の側に居ないような場合でも、出力機器の電源をオンにしたりオフにしたりするために該出力機器にまで足を運ぶ必要が無く、時間と労力の無駄を省くことができる。
【００１７】
請求項２乃至４に係る発明によれば、前記リンク信号生成部からのリンク信号が前記リンク状態判別部に伝送されている限り前記出力機器の電源はオン状態に維持されるので、前記ＡＶスイッチャー部によってソース機器の切り換えを行っても前記出力機器の電源がオフにされることはない。
【図面の簡単な説明】
【００１８】
【図１】図１は、本発明に係るＡＶシステムの全体構成の一例を示すブロック図である。
【図２】図２は、信号伝送装置の従来構成の一例を示す模式図である。
【図３】図３は、ＡＶスイッチャーの使用状態の一例を示すブロック図である。
【図４】図４は、信号伝送装置とＡＶスイッチャーを組み合わせた例を示すブロック図である。
【発明を実施するための形態】
【００１９】
以下、図１に沿って、本発明の実施の形態について説明する。
【００２０】
本発明に係るＡＶシステムは、図１に符号１で例示するように、
・  映像信号及び／又は音声信号（以下、“映像音声信号”とする）Ｓａの発生源であるソース機器２Ａ，２Ｂと、
・  該映像音声信号Ｓａに基づいて映像を表示したり音声（本明細書においては、人間の声だけでなく、声以外の音も含む概念である）を出力したりする出力機器６Ａと、
の間に介装されて使用されるものであって、前記映像音声信号Ｓａを前記ソース機器２Ａ又は２Ｂから前記出力機器６Ａに伝送するためのシステムである。なお、前記ソース機器２Ａ，２ＢとしてはパソコンやＤＶＤプレーヤーやブルーレイディスクプレーヤーなどを挙げることができ、前記出力機器６Ａとしては、液晶ディスプレイやプロジェクター等の映像表示装置やスピーカーなどを挙げることができる。
【００２１】
本発明に係るＡＶシステム１は、
・  前記ソース機器２Ａ，２Ｂの側に配置される送信側ユニット３と、
・  前記出力機器６Ａの側に配置される受信側ユニット５と、
・  これらの送信側ユニット３と受信側ユニット５とを電気的に接続する延長ケーブル４と、
を備えており、該ソース機器２Ａ又は２Ｂからの映像音声信号Ｓａを前記送信側ユニット３から前記受信側ユニット５に前記延長ケーブル４を介して伝送するように構成されている。
【００２２】
このうちの送信側ユニット３は、
・  前記送信側ユニット３と前記受信側ユニット５とがリンクしているか否かを判別するためのリンク信号（例えば、クロック信号）Ｓｂを生成するリンク信号生成部３２と、
・  ソース機器２Ａ又は２Ｂにより出力される映像音声信号Ｓａと前記リンク信号生成部３２が生成したリンク信号Ｓｂとを前記延長ケーブル４を介して前記受信側ユニット５に送信する送信部３３と、
を有している。また、前記受信側ユニット５は、前記出力機器６Ａが接続され得るように構成されていて、
・  前記送信部３３から送信された映像音声信号Ｓａを受信して前記出力機器６Ａに映像及び／又は音声を出力させる受信部５１と、
・  前記リンク信号Ｓｂを受信している場合には前記送信側ユニット３と前記受信側ユニット５とがリンク状態にあると判別し、前記リンク信号Ｓｂを受信していない場合には該送信側ユニット３と該受信側ユニット５とがリンク状態には無いと判別するリンク状態判別部５２と、
・  該リンク状態判別部５２からの信号に基づき、前記送信側ユニット３と前記受信側ユニット５とがリンク状態にある場合には前記出力機器６Ａの電源をオンにする制御信号Ｓｃを送出し、前記送信側ユニット３と前記受信側ユニット５とがリンク状態に無い場合には該出力機器６Ａの電源をオフにする制御信号Ｓｃを送出する出力機器制御部５３と、
を有している。
【００２３】
本発明によれば、前記延長ケーブル４が適正に接続されている状況下では、前記リンク状態判別部５２によるリンク信号の受信は、前記リンク信号生成部３２の電源がオンにされている場合にのみ行われ、該リンク信号生成部３２の電源がオフにされている場合には行われない。したがって、前記出力機器６Ａの電源のオン／オフを、該出力機器６Ａに設けられている電源スイッチの操作により行うのではなく送信側ユニット３の側でも行うことができ、
・  前記送信側ユニット３の電源をオン（つまり、前記リンク信号生成部３２の電源をオン）にすると前記出力機器制御部５３は前記出力機器６Ａの電源をオンにし、
・  前記送信側ユニット３の電源をオフ（つまり、前記リンク信号生成部３２の電源をオフ）にすると前記出力機器制御部５３は前記出力機器６Ａの電源をオフにする、
こととなる。このため、機器を操作できる人が前記送信側ユニット３の側にだけ居て前記出力機器６Ａの側に居ないような場合でも、出力機器６Ａの電源をオンにしたりオフにしたりするために該出力機器６Ａにまで足を運ぶ必要が無く、時間と労力の無駄を省くことができる。また、前記送信側ユニット３と前記受信側ユニット５の電源をオンにした時点で前記出力機器６Ａの起動が開始されるので、該出力機器６Ａの起動を早くに完了させることができる。
【００２４】
この場合、前記送信側ユニット３は、
・  ソース機器２Ａ，２Ｂを接続して映像音声信号Ｓａを入力できるように構成された複数の入力端子３１１、該映像音声信号Ｓａを出力できるように構成された少なくとも１つの出力端子３１３、及び該入力端子３１１と該出力端子３１３との間に介装されて該出力端子３１３から出力される映像音声信号Ｓａを切り換えることができる信号切換部３１２を有するＡＶスイッチャー部３１、
を備え、前記送信部３３が、該ＡＶスイッチャー部３１から出力される映像音声信号を前記リンク信号Ｓｂと共に前記延長ケーブル４を介して前記受信側ユニット５に送信するようにしても良い。
【００２５】
その場合、前記リンク信号生成部３２からのリンク信号Ｓｂが前記リンク状態判別部５２に伝送されている限り前記出力機器６Ａの電源はオン状態に維持されるので、前記ＡＶスイッチャー部３１によってソース機器２Ａ，２Ｂの切り換えを行っても前記出力機器６Ａの電源がオフにされることはない。
【００２６】
ところで、図１に示す例では、前記出力機器６Ａの電源をオン／オフする制御信号Ｓｃは該出力機器６Ａに対して送出されているが、これに限られるものではない。例えば、前記出力機器６Ａの電源供給ライン上にスイッチボックス（不図示）を設けておいて該スイッチボックスに対して制御信号Ｓｃを送出して該スイッチボックスを制御し、それによって前記出力機器６Ａの電源をオンにしたりオフにしたりするようにしても良い。
【００２７】
また、前記出力機器制御部５３から送出する制御信号Ｓｃとしては、
・  シリアル信号（ＲＳ２３２Ｃのコマンド）
・  ＬＡＮ信号（例えば、一般社団法人ビジネス機械・情報システム産業協会で制定されたＰＪＬＩＮＫなど）
を挙げることができ、電気信号だけでなく赤外線信号や他の公知の形態の信号を挙げることができる。なお、前記出力機器制御部５３は、送出する制御信号Ｓｃの形態に応じて適切な構造のものを使用すると良い。
【００２８】
さらに、図１に示すＡＶシステム１においては、送信部３３、延長ケーブル４及び受信部５１の数は１つずつ（つまり、１系統）であるが、もちろんこれに限られるものではなく、複数系統（つまり、前記ＡＶスイッチャー部３１には複数の送信部３３が接続され、各送信部３３には延長ケーブル４や受信側ユニット５が接続されているような構成）としても良い。
【００２９】
一方、前記出力機器６Ａを、
・  プロジェクターと、
・  該プロジェクターにより映像が投影されるプロジェクタースクリーンと、
・  該スクリーンの上げ下げを行う駆動手段と、
により構成する場合には、前記制御信号Ｓｃによってプロジェクターをオン／オフするだけでなく、プロジェクタースクリーンの上げ下げを行うようにしても良い。
【００３０】
なお、前記送信側ユニット３から受信側ユニット５に伝送される信号は音声信号及び／又は映像信号であるから、
・  映像信号及び音声信号の両方が伝送される場合、
・  映像信号及び音声信号のいずれか一方が伝送される場合
の両方が含まれる。
【００３１】
ところで、上述したＡＶスイッチャー部３１とリンク信号生成部３２と送信部３３とは同じ筐体内に収納されていてもいなくても良い。また、上述した受信部５１とリンク状態判別部５２と出力機器制御部５３も同様であって、同じ筐体内に収納されていてもいなくても良い。
【符号の説明】
【００３２】
１                  ＡＶシステム
２Ａ，２Ｂ          ソース機器
３                  送信側ユニット
４                  延長ケーブル
５                  受信側ユニット
６Ａ                出力機器
３１                ＡＶスイッチャー部
３２                リンク信号生成部
３３                送信部
５１                受信部
５２                リンク状態判別部
５３                出力機器制御部
Ｓａ                映像音声信号
Ｓｂ                リンク信号
Ｓｃ                制御信号
３１１，…          入力端子
３１２              信号切換部
３１３              出力端子
【図１】
2015088879.tif 000003
【図２】
2015088879.tif 000004
【図３】
2015088879.tif 000005
【図４】
2015088879.tif 000006